(57)【要約】  【課題】  出火をいち早く検知できる、温水洗浄便座システムの提供。  【解決手段】便器の後部上側に固定され且つ前記便器の幅方向に延在するケースと、前記ケース内の一方側に配設された電磁弁と、前記ケース内の他方側に配設された温水タンクと、前記ケースの内の略中央部に位置し且つ前記便器内に延在するノズルを有する人体局部洗浄機構と、制御回路をして前記電磁弁を開いて給水源からの水圧を前記温水タンク内に供給せしめることにより前記温水タンク内の温水を押し出して前記ノズルから噴射せしめ、前記ケースとは別体のリモコンボックス及び前方に延在すべく前記ケースの一方側に着脱自在に固定された張出部のいずれかに収容される操作機構と、前記操作機構に内蔵された煙・火災センサーと、前記煙・火災センサーの作動時、警報を発する警報装置とを備えた温水洗浄便座システム。【選択図】  図１
2006079532.tif 000002
【特許請求の範囲】
【請求項１】
便器の後部上側に固定され且つ前記便器の幅方向に延在するケースと、前記ケース内に配設された温水タンクと、前記ケース内に配設され給水源と温水タンクとの間に介装される電磁弁と、前記ケースの内の略中央部に位置し且つ前記便器内に延在するノズルを有する人体局部洗浄機構と、前記ケースとは別体のリモコンボックス及び前方に延在すべく前記ケースの一方側から張り出した張出部のいずれかに収容され、制御回路をして前記電磁弁を開いて給水源からの水圧を前記温水タンク内に供給せしめることにより前記温水タンク内の温水を押し出して前記ノズルから噴射せしめるように前記人体局部洗浄機構を操作する操作機構とを備える温水洗浄便座システムにおいて、
前記操作機構に内蔵された煙・火災センサーと、前記煙・火災センサーの作動時、警報を発する警報装置とを備えた温水洗浄便座システム。
【請求項２】
前記煙・火災センサーの作動時、前記便器が設置される空間の内部を撮影し、その画像を所定の場所に伝送する撮像装置が付加された、請求項１記載の温水洗浄便座システム。
【請求項３】
前記煙・火災センサーの作動時、前記制御回路に関連する装置等への通電を停止するようにした、請求項１記載の温水洗浄便座システム。
【請求項４】
前記通電止に続いて、前記便器が設置される空間の内部に散水がなされるようにした、請求項３記載の温水洗浄便座システム。
【発明の詳細な説明】
【技術分野】
【０００１】
本発明は、温水洗浄便座システムに関し、特に防災機能を付加した温水洗浄便座システムに関する。
【背景技術】
【０００２】
人体臀部を温水で洗浄する温水洗浄装置は、一般家庭だけでなく、ホテル、デパート、図書館などの公共的な施設のトイレルームにも設置されるようになってきている。しかして、公共的なトイレルームでは種々の悪戯を受けることがあり、特に、タバコやライターの火を便蓋、便座、便座ボックス、ロータンクカバーに当てる悪戯が多く見受けられる。このような悪戯が度を過ぎると、便座ボックスやロータンクカバーが燃え出すことがある。かような事態が惹起された場合のことを考えて、特許文献１は、防災機能を付加した温水洗浄便座システムを開示する。
【０００３】
すなわち、特許文献１が開示する防災機能を付加した温水洗浄便座システムにおいては、、洋風便器の後部上面のベースプレート上に温水タンク、ロータンク、温風乾燥装置、脱臭ファン等の機器が設置されている。また、これらの機器を覆うようにタンクカバーがベースプレート上に設置されている。しかして、ロータンクの下部に放水弁が設けられており、タンクカバー内に配設されたセンサーで検知される気温が所定温度を超えるときには、火災が発生したものと判断され、制御回路が放水装置を作動させて、消火を行うようになっている。
【特許文献１】特開２００２−１３８５５４号公報
【発明の開示】
【発明が解決しようとする課題】
【０００４】
確かに特許文献１に開示された防災機能を付加した温水洗浄便座システムは、火災の際、放水装置を作動させることになっており、初期消火を実効あらしめるという点では、大変優れたものであると言わねばならない。しかし、放水装置を作動させるタイミングに関しては、決して早いとは言えない。すなわち、放水装置が作動して放水が開始されるのは、タンクカバー内に配設されたセンサーで検知される気温が所定温度を超えた時点であるが、タンクカバーの内部は手洗吐水口から流出する水が通過する孔以外にはトイレ室空間と連通する箇所が事実上無いことに鑑みれば、センサーが火災を検知するのは、出火の時点ではなく、出火から暫くしてからとならざるを得ない。そうだとすれば、放水装置からの放水により消火は出来るものの、焼損部位は決して少なくないことは、想像に難くない。
【０００５】
それ故に、本発明は、出火と略同時に、出火を検知できる温水洗浄便座を提供することを、その技術的課題とする。
【課題を解決するための手段】
【０００６】
上記の課題を解決するために講じた技術的手段は、請求項１に記載のように、
「便器の後部上側に固定され且つ前記便器の幅方向に延在するケースと、前記ケース内に配設された温水タンクと、前記ケース内に配設され給水源と温水タンクとの間に介装される電磁弁と、前記ケースの内の略中央部に位置し且つ前記便器内に延在するノズルを有する人体局部洗浄機構と、前記ケースとは別体のリモコンボックス及び前方に延在すべく前記ケースの一方側から張り出した張出部のいずれかに収容され、制御回路をして前記電磁弁を開いて給水源からの水圧を前記温水タンク内に供給せしめることにより前記温水タンク内の温水を押し出して前記ノズルから噴射せしめるように前記人体局部洗浄機構を操作する操作機構とを備える温水洗浄便座システムにおいて、
前記操作機構に内蔵された煙・火災センサーと、前記煙・火災センサーの作動時、警報を発する警報装置とを備えた温水洗浄便座システム。」
を構成したことである。
【０００７】
しかして、請求項２に記載のように、前記煙・火災センサーの作動時、前記便器が設置される空間の内部を撮影し、その画像を所定の場所に伝送する撮像装置を付加したり、請求項３記載のように、前記煙・火災センサーの作動時、前記制御回路に関連する装置等への通電を停止するようにしても良い。後者の場合は、請求項４記載のように、前記通電止に続いて、前記便器が設置される空間の内部に散水がなされるようにすることが出来る。
【発明の効果】
【０００８】
本発明によれば、リモコンボックス又は張出部のいずれかに収容され操作機構に煙・火災センサーが内蔵されているので、出火をいち早く検知できる。このため、実用上、多大な効果を奏する。
【発明を実施するための最良の形態】
【０００９】
以下、図面を参照して実施の形態について説明する。
【００１０】
図１乃至図３において、温水洗浄便座装置１０は、便器１２の後部上面に固定されるケース１４を備える。ケース１４の中央膨出部１４Ａには便座９４及び便蓋９６が共通のピン（図示略）により枢着されている。ケース１４の一方側には、後述するように、張出部１６が着脱自在に且つ前方に張り出して固定されており、この張出部１６には操作部２４が一体的に設けられる。ケース１４内には、第１制御回路２０、第２制御回路３０、電磁弁４０、ヒータ５２により加熱された温水を貯溜する温水タンク５０及びノズル機構６０が配設されている。
【００１１】
ケース１４の内部の一方側に配置される電磁弁４０は、ホース４２を介して給水源４８と、ホース４４を介して温水タンク５０と、夫々、連結されている。すなわち、電磁弁４０は、給水源４８と温水タンク５０との間に介装されている。操作部２４が操作されると、第１制御回路２０の作用により、電磁弁４０が開かれ、水圧が給水源４８から温水タンク５０内に導入される。すると、温水タンク５０内の温水が、切換弁６６を介して肛門洗浄用ノズル６２（ビデ洗浄ノズル６４）に押し出されて、肛門洗浄用ノズル６２（ビデ洗浄ノズル６４）を便器１２内に伸長し、この温水が、周知のように、肛門洗浄用ノズル６２（ビデ洗浄ノズル６４）から噴射されて、使用者の肛門（ビデ）を洗浄する。何れのノズルに温水が供給されるかは、操作部２４の押されたスイッチに依存する切換弁６６の作用位置による。
【００１２】
温水タンク５０は、ケース１４の内部の他方側に配置される。温水タンク５０内の水はヒータ５２により加熱される。水温は、温度センサ５４により常時、検知されており、当該温度が信号として、第２制御回路３０のＣＰＵ３２に送られる。ＣＰＵ３２は水温が所定値に達したら、トライアック３４を断続させて電源９０からヒータ２２への通電制御をなし、常時、水温を所定値に維持するようになっている。
【００１３】
図１を再度、参照すると、ケース１４内の一方側及び他方側には、夫々、電磁弁４０及び温水タンク５０が配設されている。電磁弁４０と温水タンク５０とを連結するホース４４は、ケース１４の長手方向（便器１２の幅方向）に、延在する。第１制御回路２０及び第２制御回路３０は、温水タンク５０に近接して配置される。しかして、温水タンク５０からは、内部に温水を貯溜していることから、外部に低くない温度の熱を放熱する。第１制御回路２０及び第２制御回路３０は、この放熱を受ける。また、第１制御回路２０及び第２制御回路３０は、温度が低い水が供給される電磁弁４０から離隔して配置され、電磁弁４０の周囲の冷気環境から、影響を受けないようになっている。かくして、第１制御回路２０及び第２制御回路３０は、温水タンク５０からの放射熱受容と電磁弁４０からの冷気の隔離により、結露の危惧から解放され、装置の信頼性が格段に向上する。
【００１４】
図４に依拠して、張出部１６とケース１４との連結構造について説明する。ケース１４は、便器１２側に固定されるベースプレート１４１とベースカバー１４３とから構成される。ベースカバー１４３の一方側にはスロット１４５が形成されており、このスロット１４５を介して、外部からＬ金具７０の水平部７２がケース１４内に延在し、ネジ８０により、ベースカバー１４３に固定される。Ｌ金具７０の垂直部７４には、ネジ８２により、ケース１４とは別体の張出部１６が固定されており、全体として、張出部１６が着脱自在に、ケース１４の一方側に固定される。
【００１５】
しかして、操作部２４が張出部１６内に設けられており、操作部２４のスイッチが張出部１６の上面から外部に露呈され、使用者により、操作される。いずれかのスイッチが押されると、信号がワイアレスで第１制御回路２０及び第２制御回路３０に送られ、上記した肛門洗浄及びビデ洗浄並びに他の作動がなされる。
【００１６】
図１に示されるように、操作部２４の煙・火災センサー８６が張出部１６の上面から外部に露呈されており、便器１２の周辺に火災が発生した場合、煙・火災センサー８６が出すオン信号により、制御装置２０は警報装置８７を作動させて、火災を周辺に知らせる。同時に、制御装置３２は３４を開いて通電を停止して、トイレ室の天井に設置されたスプリンクラー８８を作動させて散水・消火せしめる。
【００１７】
また、公共施設の場合は、天井にＣＣＤカメラ８９を設けて、警報装置８７の作動と同時にトイレ室内を撮像して画像を管理部署に伝送するようにしておけば、事実関係把握に裨益することが出来る。
【００１８】
尚、上記したように、操作部２４を内包する張出部１６は着脱衣自在にケース１４に固定されているが、図５に示されるように、張出部が無い温水洗浄便座装置１００の場合は、操作部２４と同等の機能を有するリモコン装置１２４を用いて、操作を行うことになる。この場合、煙・火災センサー８６は、リモコン装置１２４に設けられる。
【図面の簡単な説明】
【００１９】
【図１】本発明にかかる温水洗浄便座システムの一実施態様の平面図である。
【図２】図１の温水洗浄便座システムの側面図である。
【図３】図１の温水洗浄便座システムの制御系ブロック図である。
【図４】図１の温水洗浄便座システムにおけるケースと張出部との連結構造の例を示す説明図である。
【図５】煙・火災センサーをリモコン装置に設置したときの説明図である。
【符号の説明】
【００２０】
１２・・・便器
１４・・・ケース
１６・・・張出部
２０・・・第１制御回路
２４・・・操作部（操作機構）
３０・・・第２制御回路
８６・・・煙・火災センサー
８７・・・警報装置
８８・・・スプリンクラー
８９・・・ＣＣＤカメラ
【図１】
2006079532.tif 000003
【図２】
2006079532.tif 000004
【図３】
2006079532.tif 000005
【図４】
2006079532.tif 000006
【図５】
2006079532.tif 000007